(57)【要約】【課題】音声通信の途絶えの可能性があることをその音声通信によって通信される音声によって報知する。【解決手段】音声送信装置の近距離無線送受信部は、送信バッファに記憶された音声信号の量の多少を判断し、所定の閾値より多い場合、送信バッファに記憶される音声信号に修正を加える。また、所定の閾値より少ない場合、送信バッファに記憶される音声信号に修正を加える。ここで、送信バッファに記憶された音声信号が所定の閾値より多い場合に加える修正と、所定の閾値より少ない場合に加える修正は、同じであっても良く、また、異なっていても良い。【選択図】図４
2008131354.tif 000002
【特許請求の範囲】
【請求項１】
音声受信装置と近距離無線通信網を介して接続される音声送信装置であって、
音声信号を記憶する送信バッファと、
前記送信バッファに前記音声信号を記憶させ、また、前記送信バッファに記憶された音声信号を前記音声受信装置に送信する近距離無線送信手段とを有し、
前記近距離無線送信手段は、前記音声信号を前記音声受信装置に送信する処理に支障が生じた場合、前記送信バッファに前記音声信号を修正して記憶させ、または、前記送信バッファに記憶された音声信号を修正して前記音声受信装置に送信する
ことを特徴とする音声送信装置。
【請求項２】
前記近距離無線送信手段は、前記送信バッファに記憶された音声信号の量を前記送信バッファに割り当てられた記憶容量の大きさで除した値が第１の閾値より大きい場合、または、その値が前記第１の閾値より小さい第２の閾値より小さい場合、前記音声信号を前記音声受信装置に送信する処理に支障が生じたと判断することを特徴とする請求項１に記載の音声送信装置。
【請求項３】
音楽再生手段と、音楽コンテンツを記憶する音楽コンテンツ記憶手段とを更に有し、前記音声信号は、前記音楽再生手段によって再生された前記音楽コンテンツであることを特徴とする請求項１に記載の音声送信装置。
【請求項４】
前記修正とは、前記音声信号のテンポを遅くすることであることを特徴とする請求項１に記載の音声送信装置。
【請求項５】
前記修正とは、前記音声信号の音量を小さくすることであることを特徴とする請求項１に記載の音声送信装置。
【請求項６】
基地局と通信を行う第１の通信手段と、近距離通信を用いてハンズフリー端末と通信を行う第２の通信手段を備えた移動通信端末であって、
前記第１の通信手段を介してダウンロードした音楽コンテンツを記憶する記憶手段と、
データを一時的に保持するバッファ手段と、
前記記憶手段に記憶された音楽コンテンツを読出して前記バッファ手段に記憶させる読出し手段と、
前記バッファ手段に記憶された音楽コンテンツのデータ量と予め定められた基準値とを比較し、前記データ量が基準値を満たしている場合は前記バッファ手段に記憶された音楽コンテンツを前記第２の通信手段を介してハンズフリー端末に送信し、前記データ量が基準値を満たさない場合は前記バッファ手段に記憶された音楽コンテンツを修正した後に前記第２の通信手段を介してハンズフリー端末に送信する送信手段と
を備えたことを特徴とする移動通信端末。
【請求項７】
前記送信手段による音楽コンテンツに対する修正は、この音楽コンテンツの音量を変更することであることを特徴とする請求項６に記載の移動通信端末。
【請求項８】
基地局と通信を行う第１の通信手段と、近距離通信を用いてハンズフリー端末と通信を行う第２の通信手段を備えた移動通信端末であって、
前記第１の通信手段を介してダウンロードした音楽コンテンツを記憶する記憶手段と、
データを一時的に保持するバッファ手段と、
前記記憶手段に記憶された音楽コンテンツを読出して前記バッファ手段に記憶させる読出し手段と、
前記バッファ手段に記憶された音楽コンテンツのデータ量と予め定められた基準値とを比較し、前記データ量が基準値を満たさない場合は前記バッファ手段に記憶された音楽コンテンツを修正した後に再び前記バッファ手段に記憶させる修正手段と、
前記バッファ手段に記憶された音楽コンテンツを前記第２の通信手段を介してハンズフリー端末に送信する送信手段と
を備えたことを特徴とする移動通信端末。
【請求項９】
前記修正手段による音楽コンテンツに対する修正は、この音楽コンテンツの音量を変更することであることを特徴とする請求項８に記載の移動通信端末。
【発明の詳細な説明】
【技術分野】
【０００１】
本発明は、音声送信装置および移動通信端末に係り、特に音声送信に支障が生じた際の処理に関する。
【背景技術】
【０００２】
移動通信端末装置、音楽再生装置などの音声送信装置と、ハンズフリー通話装置、ヘッドセットなどの音声受信装置との間で、音声信号の双方向の、または一方向の近距離無線通信網を介した通信が行われている。ここで、通信される音声は、通話音声であることもあり、音楽であることもある。また、通信方式は、例えばブルートゥース（登録商標）方式が用いられている。
【０００３】
この通信は、近距離無線通信網の通信品質の悪化によって途絶える可能性、即ち、使用者にとっては音切れが生ずる可能性がある。例えば、音声送信装置と、音声受信装置との間に、金属製品が入り、電波を遮蔽し、または反射する場合である。
【０００４】
そこで、音声送信装置は、近距離無線通信網の通信品質の悪化を検出すると、音声送信の圧縮率を高めることによってバッファの使用効率を上げて再送するための余裕を持たせ、音切れの発生をし難くする処理が知られている（例えば、特許文献１参照。）。
【０００５】
なお、上記金属製品が装置の使用者の所持する物であり、使用者の意思で移動された場合、使用者は、その金属製品を更に移動させて近距離無線通信網の通信品質を向上させることができる。一方、その金属製品が使用者の所持する物であるか否か、即ち、その移動は、使用者の意思によるか否かに係らず、使用者は、音声送信装置及び／または音声受信装置を移動させて近距離無線通信網の通信品質を向上させることができる。
【０００６】
また、音声送信装置がＣＰＵと、そのＣＰＵによって利用されるプログラムとから構成されている場合、音声送信装置で多くのプログラムが動作し、近距離無線通信処理に割り当てられるＣＰＵリソースが不充分になることによって、上記通信が途絶える可能性が皆無ではない。
【０００７】
なぜなら、音声送信装置及び音声受信装置は、電池に蓄えられた電力によって動作する携帯型の装置であることが多く、消費電力の削減が重要である。そこで、必要最小限の電力を消費する、即ち、必要最小限の性能を有するＣＰＵが搭載されることが適切な設計だからである。
【０００８】
このＣＰＵリソースが不充分である場合、使用者は、動作中のプログラムの１つまたは複数の動作によるＣＰＵへの負荷を減じる操作をすることによって、通信が途絶える可能性をなくし、または減らすことができる。
【特許文献１】特開２００３−３０９５４１号公報（第２−３頁、図９）
【発明の開示】
【発明が解決しようとする課題】
【０００９】
しかしながら、上述した特許文献１に開示されている方法では、通信が途絶えることを遅らせることが可能ではあるものの、通信の途絶えを防止することが可能であるとは限らず、所定の時間以上に渡って近距離無線通信網の通信品質の改善が得られない場合、突然の音切れによって、使用者に不快感を与え、また、通話の理解を妨げる問題点があった。
【００１０】
本発明は、上記問題点を解決するためになされたもので、音声通信の途絶えの可能性があることをその音声通信によって通信される音声によって報知する音声送信装置および移動通信端末を提供することを目的とする。この処理によれば、装置の使用者は、通信される音声を聞くのみで上記途絶えの可能性があることを知ることができ、その他の、例えば報知の表示に注意を払う必要がない。
【課題を解決するための手段】
【００１１】
上記目的を達成するために、本発明の音声送信装置は、音声受信装置と近距離無線通信網を介して接続される音声送信装置であって、音声信号を記憶する送信バッファと、前記送信バッファに前記音声信号を記憶させ、また、前記送信バッファに記憶された音声信号を前記音声受信装置に送信する近距離無線送信手段とを有し、前記近距離無線送信手段は、前記音声信号を前記音声受信装置に送信する処理に支障が生じた場合、前記送信バッファに前記音声信号を修正して記憶させ、または、前記送信バッファに記憶された音声信号を修正して前記音声受信装置に送信することを特徴とする。
【００１２】
また、本発明の移動通信端末は、基地局と通信を行う第１の通信手段と、近距離通信を用いてハンズフリー端末と通信を行う第２の通信手段を備えた移動通信端末であって、前記第１の通信手段を介してダウンロードした音楽コンテンツを記憶する記憶手段と、データを一時的に保持するバッファ手段と、前記記憶手段に記憶された音楽コンテンツを読出して前記バッファ手段に記憶させる読出し手段と、前記バッファ手段に記憶された音楽コンテンツのデータ量と予め定められた基準値とを比較し、前記データ量が基準値を満たしている場合は前記バッファ手段に記憶された音楽コンテンツを前記第２の通信手段を介してハンズフリー端末に送信し、前記データ量が基準値を満たさない場合は前記バッファ手段に記憶された音楽コンテンツを修正した後に前記第２の通信手段を介してハンズフリー端末に送信する送信手段とを備えたことを特徴とする。
【００１３】
更に、本発明の他の移動通信端末は、基地局と通信を行う第１の通信手段と、近距離通信を用いてハンズフリー端末と通信を行う第２の通信手段を備えた移動通信端末であって、前記第１の通信手段を介してダウンロードした音楽コンテンツを記憶する記憶手段と、データを一時的に保持するバッファ手段と、前記記憶手段に記憶された音楽コンテンツを読出して前記バッファ手段に記憶させる読出し手段と、前記バッファ手段に記憶された音楽コンテンツのデータ量と予め定められた基準値とを比較し、前記データ量が基準値を満たさない場合は前記バッファ手段に記憶された音楽コンテンツを修正した後に再び前記バッファ手段に記憶させる修正手段と、前記バッファ手段に記憶された音楽コンテンツを前記第２の通信手段を介してハンズフリー端末に送信する送信手段とを備えたことを特徴とする。
【発明の効果】
【００１４】
本発明によれば、音声通信の途絶えの可能性があることをその音声通信によって通信される音声によって報知する音声送信装置および移動通信端末を提供することができる。
【発明を実施するための最良の形態】
【００１５】
以下に、本発明による音声送信装置の実施の形態を、図面を参照して説明する。図１は、本発明の実施形態に係る音声送信装置が適用された移動通信端末装置が含まれた音声通信システムの構成を示すブロック図である。
【００１６】
この音声通信システムは、移動通信網に接続される移動通信端末装置１０と、ハンズフリー装置３０と、移動通信端末装置１０及びハンズフリー装置３０の間を接続する近距離無線通信網４０とからなる。
【００１７】
図２は、移動通信端末装置１０の構成を示すブロック図である。この移動通信端末装置１０は、装置全体の制御を行う制御部１１と、移動通信網に属する基地局（図示せず）との間で電波の送受信を行うアンテナ１２ａと、通信部１２ｂと、送受信部１３と、主に受話に用いられるスピーカ１４ａと、送話に用いられるマイクロフォン１４ｂと、通話部１４ｃと、使用者へ情報の提示を行う表示部１５と、使用者からの操作指示を入力する入力装置１６と、ブラウザ部１７と、音楽再生部１８と、音楽コンテンツ記憶部１９と、近距離無線通信の電波の送受信を行うアンテナ２１ａと、近距離無線通信部２１ｂと、近距離無線送受信部２２と、送信バッファ２３と、受信バッファ２４とからなる。
【００１８】
音楽コンテンツ記憶部１９には、音楽コンテンツ１９ａが記憶される。音楽コンテンツ１９ａは、図示しないコンテンツサーバから基地局および通信部１２ｂを介して受信、またはメモリカードを介して得ることが可能であり、音楽再生部１８によって再生されるコンテンツである。送信バッファ２３には、近距離無線送受信部２２によってハンズフリー装置３０へ送信される音声信号および音楽信号（以下、単に音声信号とする）が記憶される。受信バッファ２４には、ハンズフリー装置３０から送信され、近距離無線送受信部２２によって受信された音声信号が記憶される。
【００１９】
なお、制御部１１と、ブラウザ部１７と、音楽再生部１８と、近距離無線送受信部２２とは、少なくともそれぞれの一部は、ＣＰＵと、そのＣＰＵによって利用されるプログラムとから構成されている。そして、制御部１１は、少なくともＯＳのリソース管理機能を行う。
【００２０】
図３は、ハンズフリー装置３０の構成を示すブロック図である。このハンズフリー装置３０は、装置全体の制御を行う制御部３１と、使用者からの操作指示を入力する入力装置３２と、近距離無線通信の電波の送受信を行うアンテナ３３ａと、近距離無線通信部３３ｂと、近距離無線送受信部３４と、送信バッファ３５と、受信バッファ３６と、音楽聴取及び受話に用いられるスピーカ３７ａと、送話に用いられるマイクロフォン３７ｂと、通話部３７ｃとからなる。
【００２１】
送信バッファ３５には、近距離無線送受信部３４によって移動通信端末装置１０へ送信される音声信号が記憶される。受信バッファ３６には、移動通信端末装置１０によって送信され、近距離無線送受信部３４によって受信された音声信号が記憶される。
【００２２】
なお、制御部３１と、近距離無線送受信部３４とは、少なくともそれぞれの一部は、ＣＰＵと、そのＣＰＵによって利用されるプログラムとから構成されている。そして、制御部３１は、少なくともＯＳのリソース管理を行う。
【００２３】
上記のように構成された、本発明の実施形態に係る音声通信システムの各部の動作を、図１〜図３を参照して説明する。
【００２４】
まず、移動通信端末装置１０の各部の動作を、図２を参照して説明する。通信部１２ｂは、アンテナ１２ａを介して受信した高周波信号を送受信部１３に送信する。また、送受信部１３から出力される高周波信号をアンテナ１２ａに送信する。
【００２５】
送受信部１３は、通信部１２ｂからの高周波信号を増幅、周波数変換及び復調し、それによって得たデジタル音声信号を通話部１４ｃまたは近距離無線送受信部２２に送信し、また、制御信号を制御部１１に送信する。更には、通話部１４ｃまたは近距離無線送受信部２２から出力されるデジタル音声信号、及び制御部１１から出力される制御信号を変調、周波数変換及び増幅し、高周波信号を得て、それを通信部１２ｂに送信する。
【００２６】
通話部１４ｃは、送受信部１３から出力されるデジタル音声信号をアナログ音声信号に変換し、それを増幅してスピーカ１４ａに送る。また、マイクロフォン１４ｂが出力するアナログ音声信号を増幅し、それをデジタル音声信号に変換して送受信部１３へ送信する。
【００２７】
表示部１５は、例えばＬＣＤの表示部であり、制御部１１より起動されることにより、表示動作を開始する。入力装置１６からの入力信号に応答して、また、ブラウザ部１７及び音楽再生部１８の動作に依存して、制御部１１より新しい画面が起動されるまで、同じ表示動作を続ける。
【００２８】
入力装置１６は、複数のキースイッチからなり、制御部１１からの起動信号により、使用者が操作したキースイッチを識別するコード信号を制御部１１へ通知する。
【００２９】
ブラウザ部１７は、入力装置１６の所定のキー操作によって起動され、送受信部１３、通信部１２ｂ、基地局を介してＷｅｂサイトへアクセスする。そして、アクセスされたＷｅｂサイトから送信された文字、静止画または動画を表示部１５に表示する。
【００３０】
音楽再生部１８は、入力装置１６の所定のキー操作によって起動され、音楽コンテンツ記憶部１９に記憶された音楽コンテンツ１９ａを読み出して、音声信号を作成する。ここで、音楽コンテンツ１９ａが符号化されている場合、音楽再生部１８は、音楽コンテンツ１９ａを復号する。
【００３１】
そして、音楽再生部１８は、作成された音声信号をスピーカ１４ａに送って音声を発生させ、または近距離無線送受信部２２に送る。また、移動通信端末装置１０は、音楽再生用の第２のスピーカ（図示せず）を有し、音楽再生部１８は、作成された音声信号を第２のスピーカに送って音声を発生させても良い。
【００３２】
次に、近距離無線通信部２１ｂは、アンテナ２１ａを介して近距離無線通信網４０から受信した近距離無線高周波信号を近距離無線送受信部２２に送信する。また、近距離無線送受信部２２から出力される高周波信号をアンテナ２１ａを介して近距離無線通信網４０に送信する。ここで、近距離無線通信は、例えばブルートゥース（Ｒ）方式を用いるが、これに限るものではない。無線ＬＡＮ方式を用いても良いし、赤外線通信方式を用いても良い。
【００３３】
近距離無線送受信部２２は、近距離無線通信部２１ｂを経由して近距離無線送受信部３４と通信することにより近距離無線通信網４０を用いて音声信号を送受信する。即ち、送受信部１３から出力される音声信号、及び音楽再生部１８から出力される音声信号を受信し、符号化する。そして、符号化された音声信号を送信バッファ２３に記憶させる。更に、送信バッファ２３に記憶された音声信号を、先に記憶された順に変調、周波数変換及び増幅し、高周波信号を得て近距離無線通信部２１ｂに送信させて、送信された音声信号を送信バッファ２３から削除する。
【００３４】
また、近距離無線送受信部２２は、近距離無線通信部２１ｂによって受信された高周波信号を増幅、周波数変換及び復調し、得られた符号化された音声信号を受信バッファ２４に記憶させる。そして、受信バッファ２４に記憶された音声信号を、先に記憶された順に復号し、復号された音声信号を送受信部１３に送信して、送信された音声信号を受信バッファ２４から削除する。
【００３５】
なお、上記符号化処理及び復号処理に係る符号化方式は、例えば、サブバンド符号化方式であるが、これに限るものではない。また、符号化は、音声信号が所定の時間間隔で区切られたフレーム毎に行われ、所定数の符号化されたフレームが１つのＲＴＰ（Real-time Transport Protocol）パケットにまとめられて送信バッファ２３に記憶されて送信される。また、上記のようにまとめられたＲＴＰパケットが受信されて受信バッファ２４に記憶されるが、これに限るものではない。
【００３６】
近距離無線送受信部２２が送受信部１３から出力された音声信号を符号化して送信バッファ２３に記憶させて近距離無線通信部２１ｂに送信させ、また、近距離無線通信部２１ｂによって受信されて受信バッファ２４に記憶させた音声信号を復号化して送受信部１３に送ることは、ハンズフリー装置３０に移動通信端末装置１０を介して移動通信網に接続された移動通信端末装置（図示せず）との間でハンズフリー通話を行わせることに対応する。
【００３７】
一方、近距離無線送受信部２２が音楽再生部１８から出力された音声信号を符号化して送信バッファ２３に記憶させて近距離無線通信部２１ｂに送信させることは、音楽再生部１８によって再生された音楽をハンズフリー装置３０のスピーカ３７ａから発生させること、即ち、ミュージックプレーヤ機能を実行することに対応する。この場合、ハンズフリー装置３０は、使用者の頭部に装着される構造であるヘッドセットであることがある。
【００３８】
次に、ハンズフリー装置３０の各部の動作を、図３を参照して説明する。入力装置３２は、複数のキースイッチからなり、制御部３１からの起動信号により、使用者が操作したキースイッチを識別するコード信号を制御部３１へ通知する。
【００３９】
近距離無線通信部３３ｂは、アンテナ３３ａを介して近距離無線通信網４０から受信した近距離無線高周波信号を近距離無線送受信部３４に送信する。また、近距離無線送受信部３４から出力される高周波信号をアンテナ３３ａを介して近距離無線通信網４０に送信する。ここで、近距離無線通信の方式は、近距離無線通信部２１ｂの動作説明の際に説明した通りである。
【００４０】
近距離無線送受信部３４は、近距離無線通信部３３ｂを経由して近距離無線送受信部２２と通信することにより近距離無線通信網４０を用いて音声信号を送受信する。即ち、通話部３７ｃから出力される音声信号を受信し、符号化する。そして、符号化された音声信号を送信バッファ３５に記憶させる。更に、送信バッファ３５に記憶された音声信号を、先に記憶された順に変調、周波数変換及び増幅し、高周波信号を得て近距離無線通信部３３ｂに送信させて、送信された音声信号を送信バッファ３５から削除する。
【００４１】
また、近距離無線送受信部３４は、近距離無線通信部３３ｂによって受信された高周波信号を増幅、周波数変換及び復調し、得られた符号化された音声信号を受信バッファ３６に記憶させる。そして、受信バッファ３６に記憶された音声信号を、先に記憶された順に復号し、復号された音声信号を通話部３７ｃに送信して、送信された音声信号を受信バッファ３６から削除する。
【００４２】
なお、上記符号化処理及び復号処理に係る符号化方式は、近距離無線送受信部２２の動作説明の際に説明した通りである。また、音声信号は、ＲＴＰパケット単位に送受信されることも、近距離無線送受信部２２の動作説明の際に説明した通りである。
【００４３】
既に説明したハンズフリー通話を行わせる場合、近距離無線送受信部３４は、通話部３７ｃから出力される音声信号を符号化して送信バッファ３５に記憶させて近距離無線通信部３３ｂに送信させ、また、近距離無線通信部３３ｂによって受信されて受信バッファ３６に記憶させた音声信号を復号して通話部３７ｃに送る。また、ミュージックプレーヤ機能を実行させる場合、近距離無線送受信部３４は、近距離無線通信部３３ｂによって受信されて受信バッファ３６に記憶させた音声信号を復号して通話部３７ｃに送る。
【００４４】
通話部３７ｃは、近距離無線送受信部３４から出力されるデジタル音声信号をアナログ音声信号に変換し、それを増幅してスピーカ３７ａに送る。また、マイクロフォン３７ｂが出力するアナログ音声信号を増幅し、それをデジタル音声信号に変換して近距離無線送受信部３４へ送信する。更には、スピーカ３７ａから発生した音声がマイクロフォン３７ｂから入力されることによって発生するハウリングを防止するためのエコーキャンセルを行う。
【００４５】
上記のように構成された、本発明の実施形態に係る音声通信システムの音声送信に支障が生じた際の、近距離無線送受信部２２の動作及び近距離無線送受信部３４の動作を説明する。まず、ミュージックプレーヤ機能が実行されている、即ち、送信される音声信号は、音楽再生部１８によって再生された音声信号であって、その音声信号が移動通信端末装置１０からハンズフリー装置３０に送信される場合の動作を説明する。
【００４６】
図４は、近距離無線送受信部２２の、音楽再生部１８から出力された音声信号を符号化して送信バッファ２３に記憶させる動作のフローチャートを示す。近距離無線送受信部２２は、動作を開始し（ステップＳ２２ａ）、入力装置１６の所定のキー操作によって入力され、近距離無線送受信部２２内に記憶された、音声通信システムの音声送信に支障が生じたことを報知するか否かの設定を調べる（ステップＳ２２ｂ）。
【００４７】
報知しないと設定されている場合、近距離無線送受信部２２は、音楽再生部１８から出力された音声信号を修正なしに符号化して送信バッファ２３に記憶させ（ステップＳ２２ｃ）、ステップＳ２２ｃの動作を繰り返す。
【００４８】
なお、ステップＳ２２ｃの修正なしに符号化して記憶させる動作中、音楽再生部１８から出力された音声信号が尽きた場合、近距離無線送受信部２２は、最後に送信バッファ２３に記憶させたＲＴＰパケットを繰り返し記憶させるが、これに限るものではない。音楽再生部１８から音声信号が出力されるまでの間、送信バッファ２３に音声信号を記憶させることを中止しても良い。
【００４９】
一方、この修正なしに符号化して記憶させる動作中、送信バッファ２３に音声信号を記憶させると、送信バッファ２３に記憶される音声信号の量が送信バッファ２３に割り当てられた記憶容量を上回る場合、近距離無線送受信部２２は、音楽再生部１８に指示して音楽コンテンツ１９ａの再生を中止させる。そして、送信バッファ２３に記憶された音声信号の量が送信バッファ２３に割り当てられた記憶容量の所定の割合にまで減少した場合、音楽再生部１８に指示して音楽コンテンツ１９ａの再生を再開させる。
【００５０】
一方、ステップＳ２２ｂで、報知すると設定されている場合、近距離無線送受信部２２は、送信バッファ２３に記憶された音声信号の量と、送信バッファ２３に割り当てられた記憶容量とを比較する（ステップＳ２２ｄ）。即ち、記憶された音声信号の量を割り当てられた記憶容量の大きさで除した値を算出し、その値と第１の閾値との大小、及びその値と第１の閾値より小さい第２の閾値との大小を比較する。ここで、第１の閾値及び第２の閾値は、０以上、かつ１以下の値である。
【００５１】
図５は、第１の閾値Ｔ１と、第２の閾値Ｔ２の一例を示す。即ち、第１の閾値Ｔ１は、０．９（９０％）であり、第２の閾値Ｔ２は、０．５（５０％）である。上記値が第１の閾値Ｔ１以下であり、かつ、第２の閾値Ｔ２以上であれば、近距離無線送受信部２２は、送信バッファ２３に記憶された音声信号の量は、適量であり、音声送信に支障が生じていないと判断する。
【００５２】
そして、近距離無線送受信部２２は、音楽再生部１８から出力された音声信号を修正なしに符号化して送信バッファ２３に記憶させて（ステップＳ２２ｅ）、ステップＳ２２ｄの送信バッファ２３に記憶された音声信号の量と、送信バッファ２３に割り当てられた記憶容量とを比較する動作に戻る。
【００５３】
一方、ステップＳ２２ｄで、上記値が第１の閾値Ｔ１を超えた場合、近距離無線送受信部２２は、送信バッファ２３に記憶された音声信号の量は多く、音声送信に支障が生じていると判断する。この支障は、近距離無線通信網４０に発生した支障であって、この通信網を介した通信が充分に行われていない、または、近距離無線送受信部２２の動作に生じた支障である。
【００５４】
近距離無線送受信部２２の動作に生じた支障とは、例えば、近距離無線送受信部２２に充分なＣＰＵリソースが割り当てられていないため、近距離無線送受信部２２が送信バッファ２３に記憶された音声信号を近距離無線通信部２１ｂに送信させる動作が適切に行われていないことである。
【００５５】
近距離無線送受信部２２に充分なＣＰＵリソースが割り当てられない要因は、ブラウザ部１７が動画を表示部１５に表示しており、ブラウザ部１７に多くのＣＰＵリソースが割り当てられていること、入力装置１６のキーが単位時間当たり多数回操作されており、その操作に対応する制御部１１の処理に多くのＣＰＵリソースが割り当てられていること、などであるが、これらに限るものではない。
【００５６】
なお、多数回操作されているキーの識別子は、例えば、ブラウザ部１７に送られるものであっても良く、また、アドレス帳（図示せず）に記憶される情報を入力するためのものであって、アドレス帳管理部（図示せず）に送られるものであっても良い。
【００５７】
上記以外にも、音声送信に支障が生じ、後述するステップＳ２２ｆ、またはステップＳ２２ｇで音声信号のテンポを遅くした後、支障が解消し、過渡的に送信バッファ２３に記憶された音声信号の量が多くなることもある。
【００５８】
送信バッファ２３に記憶された音声信号の量が多いと判断された場合、近距離無線送受信部２２は、音楽再生部１８から出力された音声信号に修正を施して符号化して送信バッファ２３に記憶させ（ステップＳ２２ｆ）、ステップＳ２２ｄの送信バッファ２３に記憶された音声信号の量と、送信バッファ２３に割り当てられた記憶容量とを比較する動作に戻る。
【００５９】
ここで、ステップＳ２２ｆの説明で述べた、音声信号に施す修正とは、以下の１つ、または複数を組み合わせたものである。いずれの場合であっても、修正の程度は、上記値がより大きければ、より大きいものとするが、これに限るものではない。上記値の大きさに係らず、一定であっても良い。ここで、修正の程度とは、変化の程度、回数の多少、頻度の多少、時間の長短、音量の大小などであり、修正に依存して定められる。
【００６０】
修正は、まず、音声信号の音量を低下させることである。音量の低下は、その音声信号の全周波数成分に対して均一でも良く、また、周波数成分によって異なるとしても良い。上記値に依存して、音量を低下させる周波数成分を決定しても良い。次に、音声信号の周波数を修正することである。次に、音声信号のテンポを遅くすることである。次に、テンポを速くすることである。テンポの修正に際し、周波数の修正を伴っても良く、伴わないとしても良い。
【００６１】
次に、所定の回数に渡って、所定の時間長の所定の警報音を音声信号に挿入または重ね合わせることである。次に、無音区間を挿入することである。次に、音声信号の所定の区間を無音区間に置き換えることである。次に、音声信号の所定の区間を削除することである。ここで、削除される区間は、無音区間であっても良い。
【００６２】
また、近距離無線送受信部２２は、上記支障が、近距離無線通信網４０に発生した支障である場合と、移動通信端末装置１０内、即ち、近距離無線送受信部２２の動作に生じた支障である場合とで、異なる修正としても良い。この、異なる修正とする処理によれば、スピーカ３７ａから発生される音声によって、使用者は、支障の要因を知り、音切れを回避するための対策を適切に取ることができる。即ち、使用者は、音声送信装置及び／または音声受信装置を移動するか、音声送信装置で動作しているプログラムの負荷を減らす操作を行うかの適切な選択を容易にすることができる。
【００６３】
なお、上記支障が近距離無線通信網４０に発生した支障であるか否かと、移動通信端末装置１０内の動作に生じた支障であるか否かとは、近距離無線送受信部２２は、以下のように判断することができる。
【００６４】
即ち、制御部１１によってどの処理部にどの程度のＣＰＵリソースが割り当てられたかを制御部１１から受信すること、及び／または、近距離無線通信部２１ｂによって近距離無線通信網４０に送信されたＲＴＰパケットの送信が正しく行われた割合、言い換えると、上記送信の再送の発生頻度を近距離無線通信部２１ｂから受信することによる。
【００６５】
なお、ステップＳ２２ｆの動作で、上記修正に加えて、または、代えて、近距離無線送受信部２２は、音楽再生部１８に指示して、音楽コンテンツ１９ａの再生を中止させる。そして、送信バッファ２３に記憶された音声信号が送信バッファ２３に割り当てられた記憶容量の所定の割合にまで減少した場合、音楽再生部１８に指示して、音楽コンテンツ１９ａの再生を再開させるとしても良い。また、送信バッファ２３に新たに音声信号を記憶させないとしても良く、送信バッファ２３に記憶された音声信号を削除するとしても良い。
【００６６】
一方、ステップＳ２２ｄで、上記値が第２の閾値Ｔ２未満である場合、近距離無線送受信部２２は、送信バッファ２３に記憶された音声信号の量は少なく、音声送信に支障が生じていると判断する。この支障は、音楽再生部１８または近距離無線送受信部２２の動作に生じた支障である。
【００６７】
音楽再生部１８に生じた支障とは、音楽再生部１８が音楽コンテンツ１９ａを再生する動作が適切に行われていないためである。ここで、音楽コンテンツ１９ａが符号化されており、音楽再生部１８は、たとえ、それを復号する専用ハードウェアを備えている場合であっても、音楽再生部１８の他の部分は、ＣＰＵと、そのＣＰＵによって利用されるプログラムからなるので、充分なＣＰＵリソースが割り当てられない場合、動作が適切に行われない可能性がある。
【００６８】
そこで、移動通信端末装置１０の他の処理部に多くのＣＰＵリソースが割り当てられた場合、音楽再生部１８は、充分なＣＰＵリソースが割り当てられず、適切な再生処理を行うことができない可能性がある。音楽再生部１８に充分なＣＰＵリソースが割り当てられない要因は、既に説明した、近距離無線送受信部２２に充分なＣＰＵリソースが割り当てられない要因と同じである。
【００６９】
近距離無線送受信部２２の動作に生じた支障とは、例えば、近距離無線送受信部２２が音楽再生部１８から出力された音声信号を符号化して、送信バッファ２３に記憶させる動作が適切に行われていない場合である。この要因は、上記音楽再生部１８に充分なＣＰＵリソースが割り当てられない要因と同じである。そして、近距離無線送受信部２２が符号化する専用ハードウェアを備えている場合であっても、動作が適切に行われない可能性があることは、上記音楽再生部１８と同様である。
【００７０】
送信バッファ２３に記憶された音声信号の量が少ないと判断された場合、近距離無線送受信部２２は、音楽再生部１８から出力された音声信号に修正を施して符号化して送信バッファ２３に記憶させ（ステップＳ２２ｇ）、ステップＳ２２ｄの送信バッファ２３に記憶された音声信号の量と、送信バッファ２３に割り当てられた記憶容量とを比較する動作に戻る。
【００７１】
ここで、ステップＳ２２ｇの動作で音声信号に施す修正とは、ステップＳ２２ｆの動作説明で述べた通りである。なお、ステップＳ２２ｆで施す修正と、ステップＳ２２ｇで施す修正は、同じであっても良く、また、異なっても良い。
【００７２】
また、送信バッファ２３に記憶された音声信号の量は少なく、音声送信に支障が生じる場合、支障は、移動通信端末装置１０内に生じている。そこで、近距離無線送受信部２２は、ステップＳ２２ｆで、移動通信端末装置１０内に支障が生じた際の修正を、ステップＳ２２ｇで施すことが好ましい。なぜなら、使用者は、容易に支障の要因を知り、音切れを回避するための対策を適切に取ることができるからである。
【００７３】
なお、近距離無線送受信部２２が動作を開始した直後は、送信バッファ２３には、音声情報が記憶されていない。そこで、動作を開始した直後に限り、近距離無線送受信部２２は、ステップＳ２２ｇで異なる処理を行っても良い。例えば、ステップＳ２２ｅで行う、音楽再生部１８から出力された音声信号を修正なしに符号化して送信バッファ２３に記憶させる動作である。
【００７４】
近距離無線送受信部２２は、入力装置１６から所定のキー操作がされることによって、任意の動作ステップで音楽再生部１８の動作を終了させ、近距離無線送受信部３４に動作終了を指示し、送信バッファ２３に記憶された全ての音声信号、及び受信バッファ２４に記憶された全ての音声信号を削除し、動作を終了する（図示せず）。
【００７５】
また、近距離無線送受信部３４から動作終了の指示を受信した場合、近距離無線送受信部２２は、音楽再生部１８の動作を終了させ、送信バッファ２３に記憶された全ての音声信号、及び受信バッファ２４に記憶された全ての音声信号を削除し、動作を終了する（図示せず）。
【００７６】
以上の説明では、近距離無線送受信部２２は、音声信号を送信バッファ２３に記憶させる際に修正することがあるとしたが、これに限るものではない。これに代えて、既に送信バッファ２３に既に記憶されている音声信号を修正するとしても良い。
【００７７】
既に記憶されている音声信号を修正すると、送信バッファ２３に記憶された音声信号の量が多い、または、少ないと判断された後、ハンズフリー装置３０に送信される音声信号を短時間で修正済みの信号にすることができる。そのため、音声信号の通信に支障が生じたことを短時間の遅れで報知することができる。
【００７８】
なお、送信バッファ２３に記憶された音声信号が符号化されていない場合、符号化されている場合に比較して、既に記憶されている音声信号を修正することは容易である。そこで、送信バッファ２３に符号化前の音声信号と、符号化済みの音声信号とが記憶される構成とする場合、符号化前の音声信号を修正するとしても良い。
【００７９】
図６は、近距離無線送受信部３４の受信バッファ３６に記憶された音声信号をＲＴＰパケット毎に復号し、通話部３７ｃに送ってスピーカ３７ａから発生させる動作のフローチャートを示す。近距離無線送受信部３４は、動作を開始し（ステップＳ３４ａ）、入力装置３２の所定のキー操作によって入力され、近距離無線送受信部３４内に記憶された、音声通信システムの音声送信に支障が生じたことを報知するか否かの設定を調べる（ステップＳ３４ｂ）。
【００８０】
報知しないと設定されている場合、近距離無線送受信部３４は、受信バッファ３６に記憶された音声信号を復号し、修正なしで通話部３７ｃに送ってスピーカ３７ａから音声を発生させ（ステップＳ３４ｃ）、ステップＳ３４ｃの動作を繰り返す。
【００８１】
なお、この修正なしに音声を発生させる動作中、受信バッファ３６に記憶された音声信号が尽きた場合、近距離無線送受信部３４は、最後に受信されたＲＴＰパケットに含まれる音声を繰り返し発生させるが、これに限るものではない。受信バッファ３６に音声信号が記憶されるまでの間、音声の発生を中止しても良い。
【００８２】
一方、この修正なしに音声を発生させる動作中、受信バッファ３６に記憶された音声信号が受信バッファ３６に割り当てられた記憶容量に近づいた場合、近距離無線送受信部３４は、音声信号を受信バッファ３６から削除するが、これに限るものではない。例えば、無音区間を削除するとしても良い。
【００８３】
なお、ステップＳ３４ｃの動作で、上記修正に加えて、または、代えて、近距離無線送受信部３４は、近距離無線送受信部２２に要求して、音声信号の送信を一時停止させ、受信バッファ３６の記憶された音声信号が受信バッファ３６に割り当てられた記憶容量の所定の割合にまで減少した場合、近距離無線送受信部２２に要求して、音声信号の送信を再開させるとしても良い。
【００８４】
一方、ステップＳ３４ｂで、報知すると設定されている場合、近距離無線送受信部３４は、受信バッファ３６に記憶された音声信号の量と、受信バッファ３６に割り当てられた記憶容量とを比較する（ステップＳ３４ｄ）。即ち、記憶された音声信号の量を割り当てられた記憶容量の大きさで除した値を算出し、その値と第１の閾値との大小、及びその値と第１の閾値より小さい第２の閾値との大小を比較する。
【００８５】
ここで、第１の閾値と、第２の閾値とは、近距離無線送受信部２２の動作説明で述べた通りである。しかし、第１の閾値と、第２の閾値とは、それぞれ近距離無線送受信部２２の動作の際に用いる値と同じ値であっても良く、また、異なる値であっても良い。
【００８６】
上記値が第１の閾値Ｔ１以下であり、かつ、第２の閾値Ｔ２以上であれば、近距離無線送受信部３４は、受信バッファ３６に記憶された音声信号の量は、適量であり、音声送信に支障が生じていないと判断する。そして、受信バッファ３６に記憶された音声信号を復号し、修正なしで通話部３７ｃに送ってスピーカ３７ａから音声を発生させ（ステップＳ３４ｅ）、ステップＳ３４ｄの受信バッファ３６に記憶された音声信号の量と、受信バッファ３６に割り当てられた記憶容量とを比較する動作に戻る。
【００８７】
一方、ステップＳ３４ｄで、上記値が第１の閾値Ｔ１を超える場合、近距離無線送受信部３４は、受信バッファ３６に記憶された音声信号の量は多く、音声送信に支障が生じていると判断する。この支障は、近距離無線送受信部３４の動作に生じた支障である。近距離無線送受信部３４の動作に生じた支障とは、例えば、近距離無線送受信部３４の受信バッファ３６に記憶された音声信号を復号し、通話部３７ｃに送ってスピーカ３７ａから音声を発生させる動作に充分なＣＰＵリソースが割り当てられていない場合である。
【００８８】
受信バッファ３６に記憶された音声信号の量が多いと判断された場合、近距離無線送受信部３４は、受信バッファ３６に記憶された音声信号を復号して修正を施し、通話部３７ｃに送ってスピーカ３７ａから音声を発生させ（ステップＳ３４ｆ）、ステップＳ３４ｄの受信バッファ３６に記憶された音声信号の量と、受信バッファ３６に割り当てられた記憶容量とを比較する動作に戻る。
【００８９】
ここで、ステップＳ３４ｆの説明で述べた、音声信号に施す修正とは、近距離無線送受信部２２のステップＳ２２ｆの動作説明で述べた通りである。ただし、ステップＳ２２ｆで施す修正と、ステップＳ３４ｆで施す修正は、同じであっても良く、また、異なっても良い。
【００９０】
なお、ステップＳ３４ｆの動作で、上記修正に加えて、または、代えて、近距離無線送受信部３４は、近距離無線送受信部２２に要求して、音声信号の送信を一時停止させ、受信バッファ３６の記憶された音声信号が受信バッファ３６に割り当てられた記憶容量の所定の割合にまで減少した場合、近距離無線送受信部２２に要求して、音声信号の送信を再開させるとしても良い。
【００９１】
また、ハンズフリー装置３０が処理する機能が限られていることは、図３に示すハンズフリー装置３０の構成からも明らかである。そこで、近距離無線送受信部３４に充分なＣＰＵリソースが割り当てられない可能性は少ない。そこで、近距離無線送受信部３４は、ステップＳ３４ｆの動作に代えて、ステップＳ３４ｅの動作をするとしても良い。
【００９２】
一方、ステップＳ３４ｄで、上記値が第２の閾値Ｔ２未満である場合、近距離無線送受信部３４は、受信バッファ３６に記憶された音声信号の量は少なく、音声送信に支障が生じていると判断する。この支障は、近距離無線通信網４０に発生した支障であって、この通信網を介した通信が充分に行われていないか、または、移動通信端末装置１０の動作に生じた支障である。なぜなら、上述したように、近距離無線送受信部３４が近距離無線通信部３３ｂによって受信された音声信号を受信バッファ３６に記憶させる動作に充分なＣＰＵリソースが割り当てられない可能性は少ないからである。
【００９３】
受信バッファ３６に記憶された音声信号の量が少ないと判断された場合、近距離無線送受信部３４は、受信バッファ３６に記憶された音声信号を復号して修正を施し、通話部３７ｃに送ってスピーカ３７ａから音声を発生させ（ステップＳ３４ｇ）、ステップＳ３４ｄの受信バッファ３６に記憶された音声信号の量と、受信バッファ３６に割り当てられた記憶容量とを比較する動作に戻る。
【００９４】
ここで、ステップＳ３４ｇの動作で音声信号に施す修正とは、ステップＳ３４ｆの動作説明で述べた通りである。なお、ステップＳ３４ｆで施す修正と、ステップＳ３４ｇで施す修正は、同じであっても良く、また、異なっても良い。
【００９５】
また、ステップＳ３４ｇの動作で音声信号に施す修正は、移動通信端末装置１０の近距離無線送受信部２２が、近距離無線通信網４０に支障が発生した場合に施す修正と同じとしても良い。この処理によれば、使用者は、近距離無線通信網４０に支障が発生した場合に異なる修正が加えられることによる混乱を招く恐れが少ない。
【００９６】
また、近距離無線通信網４０、または近距離無線送受信部２２に支障が発生し、受信バッファ３６に記憶された音声信号の量が少ない場合、移動通信端末装置１０の送信バッファ２３に記憶された音声信号の量が多いと考えられる。そこで、その場合、移動通信端末装置１０の近距離無線送受信部２２によって、ハンズフリー装置３０に送信される音声信号に修正が施されているので、近距離無線送受信部３４は、ステップＳ３４ｇの動作に代えて、ステップＳ３４ｅの動作をするとしても良い。
【００９７】
また、移動通信端末装置１０の近距離無線送受信部２２は、近距離無線通信網４０、または近距離無線送受信部２２に支障が発生し、送信バッファ２３に記憶された音声信号の量が多い場合、修正を施さないとしても良い。これらの動作によれば、近距離無線送受信部２２と、近距離無線送受信部３４とによって、音声信号が重ねて修正されることを避けることができる。
【００９８】
一方、近距離無線通信網４０、または近距離無線送受信部２２に支障が発生し、送信バッファ２３に記憶された音声信号の量が多い際、近距離無線送受信部２２が既に符号化が終了していた音声信号に修正を施さない場合、近距離無線送受信部３４が修正を施すことによって、短時間の遅れで近距離無線通信網４０に支障が発生したことを報知することができる。
【００９９】
なお、ステップＳ３４ｇの音声信号を修正して音声を発生させる動作中、受信バッファ３６に記憶された音声信号が尽きた場合、近距離無線送受信部３４は、最後に受信されたＲＴＰパケットに含まれる音声を繰り返し発生させるが、これに限るものではない。受信バッファ３６に音声信号が記憶されるまでの間、音声の発生を中止しても良い。
【０１００】
また、近距離無線送受信部３４が動作を開始した直後は、受信バッファ３６には、音声情報が記憶されていない。そこで、動作を開始した直後に限り、近距離無線送受信部３４は、ステップＳ３４ｇで異なる処理を行っても良い。例えば、受信バッファ３６に記憶された音声信号による音声の発生をさせないとしても良い。
【０１０１】
近距離無線送受信部３４は、入力装置３２から所定のキー操作がされることによって、任意の動作ステップで近距離無線送受信部２２に動作終了を指示し、送信バッファ３５に記憶された全ての音声信号、及び受信バッファ３６に記憶された全ての音声信号を削除し、動作を終了する（図示せず）。
【０１０２】
また、近距離無線送受信部２２から動作終了の指示を受信した場合、近距離無線送受信部３４は、送信バッファ２３に記憶された全ての音声信号、及び受信バッファ２４に記憶された全ての音声信号を削除し、動作を終了する（図示せず）。
【０１０３】
次に、本発明の実施形態に係る音声通信システムの音声送信に支障が生じた際の、近距離無線送受信部２２の動作及び近距離無線送受信部３４の動作であって、送信される音声は、送受信部１３によって受信された音声信号である場合の動作を説明をする。これは、ハンズフリー通話処理が行われていて、移動通信端末装置１０によって基地局を介した通話処理が行われており、受話音声が近距離無線通信網４０を介してハンズフリー装置３０へ送信されている場合である。
【０１０４】
この受話音声が送信されている場合の処理は、上記ミュージックプレーヤ機能が実行されている場合とほぼ同一である。そこで、相違点のみを説明する。まず、近距離無線送受信部２２は、上記ステップＳ２２ｃの動作及びステップＳ２２ｆの動作において、送信バッファ２３に記憶された音声信号が所定の量を超えた場合、音楽再生部１８に指示することが無意味であるのみならず、送受信部１３に指示して、音声信号の送信を中止させることができない。その理由は、送受信部１３は通話処理を行っており、信号の送受は、実時間処理が必要だからである。
【０１０５】
次に、近距離無線送受信部３４は、ステップＳ３４ｃの動作及びステップＳ３４ｆの動作において、受信バッファ３６に記憶された音声信号が所定の量を超えた場合、近距離無線送受信部２２に要求して、音声信号の送信を一時停止させることができない。その理由は、上記説明した通りである。
【０１０６】
次に、本発明の実施形態に係る音声通信システムの音声送信に支障が生じた際の、近距離無線送受信部２２の動作及び近距離無線送受信部３４の動作であって、送信される音声は、通話部３７ｃから送信された音声信号である場合の動作を説明をする。これは、ハンズフリー通話処理が行われていて、移動通信端末装置１０によって基地局を介した通話処理が行われており、送話音声がハンズフリー装置３０から近距離無線通信網４０を介して送信されている場合である。
【０１０７】
この送話音声がハンズフリー装置３０から送信されている場合の動作と、上記受話音声が近距離無線通信網４０を介してハンズフリー装置３０へ送信されている場合の動作とは、音声信号が送られる方向が逆であるものの、類似の動作であるので、以下のような対応関係にある。即ち、後者では、近距離無線送受信部２２は、送信バッファ２３に記憶された音声信号の量を参照して、送信バッファ２３に記憶される音声信号に修正を施し、または施さない動作をすることに対応し、前者では、近距離無線送受信部３４は、送信バッファ３５に記憶された音声信号の量を参照して、受信バッファ３６に記憶された音声信号に修正を施し、または施さない動作をする。
【０１０８】
また、後者では、近距離無線送受信部３４は、受信バッファ３６に記憶された音声信号の量を参照して、受信バッファ３６に記憶された音声信号に修正を施し、または施さない動作をすることに対応し、前者では、近距離無線送受信部２２は、受信バッファ３６に記憶された音声信号の量を参照して、送信バッファ２３に記憶された音声信号に修正を施し、または施さない動作をする。
【０１０９】
なお、上記説明で、近距離無線送受信部２２は、受信バッファ２４に記憶された音声信号には修正を施さず、また、近距離無線送受信部３４は、送信バッファ３５に記憶された音声信号には修正を施さないことは、単なる対応関係ではない。これは、音声通信システムの音声送信に支障が生じた際、常に、移動通信端末装置１０からハンズフリー装置３０へ送信される音声信号に修正を施すためである。
【０１１０】
その理由は、ハンズフリー装置３０から移動通信端末装置１０へ送信される音声信号は、発話音声であるので、その音声信号に施された修正は、これらの装置の使用者によって知られることがなく、本発明の効果が得られないからである。ただし、発話音声に修正を施し、通話相手に音声通信システムの音声送信に支障が生じたことを知らせても良い。これを知らせることにより、通話相手は、支障が生じていることを知り、重要な項目を繰り返して発話するなどの対応を取ることが可能になる。
【０１１１】
ハンズフリー通話処理が行われている場合、受話音声が移動通信端末装置１０から近距離無線通信網４０を介してハンズフリー装置３０へ送信される動作と、送話音声がハンズフリー装置３０から近距離無線通信網４０を介して移動通信端末装置１０送信される動作とが同時に行われる。そこで、上記説明した、受話音声に対する処理と、送話音声に対する処理が、近距離無線送受信部２２と、近距離無線送受信部３４とによって同時に行われる。
【０１１２】
以上の説明では、送信バッファ２３、受信バッファ２４、送信バッファ３５及び受信バッファ３６に記憶される音声信号は、符号化されているとしたが、これに限るものではない。符号化前の、または、復号された音声信号が記憶されるとしても良い。また、符号化された音声信号と、符号化前の、または、復号された音声信号とが記憶されるとしても良い。いずれにせよ、それぞれのバッファに記憶された音声信号の量を、それぞれのバッファに割り当てられた記憶容量の大きさで除した値によって、近距離無線送受信部２２と、近距離無線送受信部３４とは、音声送信に支障が生じたことを知ることができる。
【０１１３】
また、近距離無線送受信部２２と、近距離無線送受信部３４とは、上記バッファに記憶された音声信号の量に加えて、または、代えて、移動通信端末装置１０とハンズフリー装置３０との間で送受信される近距離無線通信網４０の通信の状況を参照して近距離無線通信網４０に支障が発生しているか否かを判断しても良い。
【０１１４】
通信の状況は、例えば、ＲＴＰ制御プロトコル（ＲＴＣＰ）を用いて通信される。ＲＴＰ制御プロトコルを用いて通信される通信の状況は、パケット再送の回数、ＲＴＰパケットが一方の装置から送信されてから、他方の装置によって受信されるまでの時間、などである。
【０１１５】
また、以上の説明では、音楽再生部１８は、音楽コンテンツ１９ａとして記憶された音声信号を再生するとしたが、これに限るものではない。音楽コンテンツ１９ａは、映像情報を含み、音楽再生部１８は、音声信号を再生することに加えて、映像信号を表示部１５に表示するとしても良い。この場合、音声信号に併せて映像信号が近距離無線送受信部２２から近距離無線送受信部３４に送信される。この送信に際し、音声信号と映像信号とは、例えば、ＭＰＥＧ４方式によって符号化されるが、これに限るものではない。
【０１１６】
なお、以上の説明では、ミュージックプレーヤ機能は、音楽再生部１８によって再生された音楽コンテンツ１９ａをスピーカ３７ａから発生させる機能であるとした。この他、移動通信網に接続されたサーバ装置（図示せず）から送信される音楽コンテンツをストリーミング再生して、スピーカ３７ａから発生させる場合、近距離無線送受信部２２及び近距離無線送受信部３４は、ハンズフリー通話の受話をスピーカ３７ａから発生させる場合と同じ処理を行う。なぜなら、サーバ装置に音楽コンテンツの送信の中止と再生を指示することはできないからである。
【０１１７】
また、以上の説明では、音声信号がモノラル信号であるか、ステレオ信号であるかを
明示しなかったが、いずれでも良い。ただし、ステレオ信号をスピーカ３７ａから発生させる場合、スピーカ３７ａは、２つのスピーカからなる。本発明は以上の構成に限定されるものではなく、種々の変形が可能である。
【図面の簡単な説明】
【０１１８】
【図１】本発明の実施形態に係る移動通信端末装置が含まれた音声通信システムの構成を示すブロック図。
【図２】本発明の実施形態に係る移動通信端末装置の構成を示すブロック図。
【図３】本発明の実施形態に係る音声通信システムのハンズフリー装置の構成を示すブロック図。
【図４】本発明の実施形態に係る移動通信端末装置の近距離無線送受信部の動作を示すフローチャート。
【図５】本発明の実施形態に係る移動通信端末装置の送信バッファに記憶された音声信号の多少を判断するための閾値を示す図。
【図６】本発明の実施形態に係る音声通信システムのハンズフリー装置の近距離無線送受信部の動作を示すフローチャート。
【符号の説明】
【０１１９】
１０  移動通信端末装置
３０  ハンズフリー装置
４０  近距離無線通信網
１６、３２  入力装置
１７  ブラウザ部
１８  音楽再生部
１９  音楽コンテンツ記憶部
１９ａ  音楽コンテンツ
２２、３４  近距離無線送受信部
２３、３５  送信バッファ
２４、３６  受信バッファ
【図１】
2008131354.tif 000003
【図２】
2008131354.tif 000004
【図３】
2008131354.tif 000005
【図４】
2008131354.tif 000006
【図５】
2008131354.tif 000007
【図６】
2008131354.tif 000008